【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
通信のための装置であって、
複数の空間ストリームを生成するように構成された処理システムを備え、前記複数の空間ストリームの各々は、複数のシンボルを備え、前記処理システムは更に、前記複数の空間ストリームのうちの第１の空間ストリームにおける第１のシンボルと、前記複数の空間ストリームのうちの第２の空間ストリームにおける第２のシンボルとにわたって、トレーニング・シーケンスの少なくとも一部分を分配するように構成された装置。
【請求項２】
前記処理システムは更に、前記複数の空間ストリームのうちの第３の空間ストリームにおける第３のシンボルに、前記トレーニング・シーケンスの更なる一部分を分配するように構成された請求項１に記載の装置。
【請求項３】
前記第１および第２のシンボルの各々は、複数のサブキャリアを備え、前記処理システムは更に、前記第１および第２のシンボルにおける異なるサブキャリアにわたって、前記トレーニング・シーケンスの少なくとも一部分を分配するように構成された請求項１に記載の装置。
【請求項４】
前記処理システムは更に、前記第１のシンボルにおけるトレーニング・シーケンスの一部分を巡回的に遅延させるように構成された請求項１に記載の装置。
【請求項５】
前記複数のシンボルのうちの前記第１のシンボルは、信号を伝送する複数のサブキャリアを含み、前記処理システムは更に、前記複数のサブキャリアによって伝送された信号を、前記第１のシンボルにおけるトレーニング・シーケンスの一部分と乗じるように構成された請求項１に記載の装置。
【請求項６】
前記第１のシンボルは、複数の帯域内サブキャリアと帯域外サブキャリアとを含み、前記処理システムは更に、前記第１のシンボルにおけるトレーニング・シーケンスの一部分を、前記帯域内サブキャリアにわたって分配するように構成された請求項１に記載の装置。
【請求項７】
前記処理システムは更に、前記帯域外サブキャリアを減衰させるように構成された請求項６に記載の装置。
【請求項８】
前記処理システムは更に、時間的に前記第１のシンボルの後に続く、前記複数の空間ストリームのうちの第１の空間ストリームにおける別のシンボルに、前記トレーニング・シーケンスの更なる一部分を分配するように構成された請求項１に記載の装置。
【請求項９】
前記処理システムは更に、時間的に前記第１のシンボルの後に続く、前記複数の空間ストリームのうちの第３の空間ストリームにおける別のシンボルに、前記第１のシンボルにおけるトレーニング・シーケンスの一部分を分配するように構成された請求項１に記載の装置。
【請求項１０】
前記処理システムは更に、スプーフ変調スキームを用いて、前記複数のシンボルのうちの少なくとも１つを、変調するように構成された請求項１に記載の装置。
【請求項１１】
前記処理システムは更に、第１の変調スキームを用いて、前記複数の空間ストリームのうちの第１のストリームにおける複数のシンボルのうちの１つを変調し、前記第１の変調スキームとは異なる第２の変調スキームを用いて、前記複数の空間ストリームのうちの第１の空間ストリームにおける複数のシンボルのうちの別の１つを変調するように構成された請求項１に記載の装置。
【請求項１２】
前記複数の空間ストリームの各々は、データ長および変調スキームを示す情報を備える少なくとも１つのシンボルを備え、前記情報は、前記複数の空間ストリームのうちの少なくとも２つについて異なる請求項１に記載の装置。
【請求項１３】
前記処理システムは更に、時間的に前記第１のシンボルの後に続く、前記複数の空間ストリームのうちの第１の空間ストリームにおける第３のシンボルに、前記トレーニング・シーケンスの更なる一部分を分配し、時間的に前記第３のシンボルの後に続く、前記複数の空間ストリームのうちの第１の空間ストリームにおける第４のシンボルに、前記トレーニング・シーケンスの一部分を分配するように構成された請求項１に記載の装置。
【請求項１４】
通信のための方法であって、
各々が複数のシンボルを備える複数の空間ストリームを生成することと、
前記複数の空間ストリームのうちの第１の空間ストリームにおける第１のシンボルと、前記複数の空間ストリームのうちの第２の空間ストリームにおける第２のシンボルとにわたって、トレーニング・シーケンスの少なくとも一部分を分配することと
を備える方法。
【請求項１５】
前記複数の空間ストリームのうちの第３の空間ストリームにおける第３のシンボルに、前記トレーニング・シーケンスの更なる一部分を分配することを備える請求項１４に記載の方法。
【請求項１６】
前記第１および第２のシンボルの各々は、複数のサブキャリアを備え、前記第１および第２のシンボルにおける異なるサブキャリアにわたって、前記トレーニング・シーケンスの少なくとも一部分が分配される請求項１４に記載の方法。
【請求項１７】
前記第１のシンボルにおけるトレーニング・シーケンスの一部分を巡回的に遅延させることを備える請求項１４に記載の方法。
【請求項１８】
前記複数のシンボルのうちの前記第１のシンボルは、信号を伝送する複数のサブキャリアを含む方法であって、前記方法は更に、前記複数のサブキャリアによって伝送された信号を、前記第１のシンボルにおけるトレーニング・シーケンスの一部分と乗じることを更に備える請求項１４に記載の方法。
【請求項１９】
前記第１のシンボルは、複数の帯域内サブキャリアと帯域外サブキャリアとを含み、前記第１のシンボルにおけるトレーニング・シーケンスの一部分が、前記帯域内サブキャリアにわたって分配される請求項１４に記載の方法。
【請求項２０】
前記帯域外サブキャリアを減衰させることを更に備える請求項１９に記載の方法。
【請求項２１】
時間的に前記第１のシンボルの後に続く、前記複数の空間ストリームのうちの第１の空間ストリームにおける別のシンボルに、前記トレーニング・シーケンスの更なる一部分を分配することを更に備える請求項１４に記載の方法。
【請求項２２】
時間的に前記第１のシンボルの後に続く、前記複数の空間ストリームのうちの第３の空間ストリームにおける別のシンボルに、前記第１のシンボルにおけるトレーニング・シーケンスの一部分を分配することを更に備える請求項１４に記載の方法。
【請求項２３】
スプーフ変調スキームを用いて、前記複数のシンボルのうちの少なくとも１つを変調することを備える請求項１４に記載の方法。
【請求項２４】
第１の変調スキームを用いて、前記複数の空間ストリームのうちの第１のストリームにおける複数のシンボルのうちの１つを変調することと、前記第１の変調スキームとは異なる第２の変調スキームを用いて、前記複数の空間ストリームのうちの第１の空間ストリームにおける複数のシンボルのうちの別の１つを変調することとを更に備える請求項１４に記載の方法。
【請求項２５】
前記複数の空間ストリームの各々は、データ長および変調スキームを示す情報を備える少なくとも１つのシンボルを備え、前記情報は、前記複数の空間ストリームのうちの少なくとも２つについて異なる請求項１４に記載の方法。
【請求項２６】
時間的に前記第１のシンボルの後に続く、前記複数の空間ストリームのうちの第１の空間ストリームにおける第３のシンボルに、前記トレーニング・シーケンスの更なる一部分を分配することと、時間的に前記第３のシンボルの後に続く、前記複数の空間ストリームのうちの第１の空間ストリームにおける第４のシンボルに、前記トレーニング・シーケンスの一部分を分配することとを更に備える請求項１４に記載の方法。
【請求項２７】
通信のための装置であって、
各々が複数のシンボルを備える複数の空間ストリームを生成する手段と、
前記複数の空間ストリームのうちの第１の空間ストリームにおける第１のシンボルと、前記複数の空間ストリームのうちの第２の空間ストリームにおける第２のシンボルとにわたって、トレーニング・シーケンスの少なくとも一部分を分配する手段と
を備える装置。
【請求項２８】
前記複数の空間ストリームのうちの第３の空間ストリームにおける第３のシンボルに、前記トレーニング・シーケンスの更なる一部分を分配する手段を備える請求項２７に記載の装置。
【請求項２９】
前記第１および第２のシンボルの各々は、複数のサブキャリアを備え、前記第１および第２のシンボルにおける異なるサブキャリアにわたって、前記トレーニング・シーケンスの少なくとも一部分が分配される請求項２７に記載の装置。
【請求項３０】
前記第１のシンボルにおけるトレーニング・シーケンスの一部分を巡回的に遅延させる手段を備える請求項２７に記載の装置。
【請求項３１】
前記複数のシンボルのうちの前記第１のシンボルは、信号を伝送する複数のサブキャリアを含み、前記装置は更に、前記複数のサブキャリアによって伝送された信号を、前記第１のシンボルにおけるトレーニング・シーケンスの一部分と乗じる手段を更に備える請求項２７に記載の装置。
【請求項３２】
前記第１のシンボルは、複数の帯域内サブキャリアと帯域外サブキャリアとを含み、前記第１のシンボルにおけるトレーニング・シーケンスの一部分が、前記帯域内サブキャリアにわたって分配される請求項２７に記載の装置。
【請求項３３】
前記帯域外サブキャリアを減衰させる手段を更に備える請求項３２に記載の装置。
【請求項３４】
時間的に前記第１のシンボルの後に続く、前記複数の空間ストリームのうちの第１の空間ストリームにおける別のシンボルに、前記トレーニング・シーケンスの更なる一部分を分配する手段を更に備える請求項２７に記載の装置。
【請求項３５】
時間的に前記第１のシンボルの後に続く、前記複数の空間ストリームのうちの第３の空間ストリームにおける別のシンボルに、前記第１のシンボルにおけるトレーニング・シーケンスの一部分を分配する手段を更に備える請求項２７に記載の装置。
【請求項３６】
スプーフ変調スキームを用いて、前記複数のシンボルのうちの少なくとも１つを変調する手段を備える請求項２７に記載の装置。
【請求項３７】
第１の変調スキームを用いて、前記複数の空間ストリームのうちの第１のストリームにおける複数のシンボルのうちの１つを変調する手段と、前記第１の変調スキームとは異なる第２の変調スキームを用いて、前記複数の空間ストリームのうちの第１の空間ストリームにおける複数のシンボルのうちの別の１つを変調する手段とを更に備える請求項２７に記載の装置。
【請求項３８】
前記複数の空間ストリームの各々は、データ長および変調スキームを示す情報を備える少なくとも１つのシンボルを備え、前記情報は、前記複数の空間ストリームのうちの少なくとも２つについて異なる請求項２７に記載の装置。
【請求項３９】
時間的に前記第１のシンボルの後に続く、前記複数の空間ストリームのうちの第１の空間ストリームにおける第３のシンボルに、前記トレーニング・シーケンスの更なる一部分を分配する手段と、時間的に前記第３のシンボルの後に続く、前記複数の空間ストリームのうちの第１の空間ストリームにおける第４のシンボルに、前記トレーニング・シーケンスの一部分を分配する手段とを更に備える請求項２７に記載の装置。
【請求項４０】
命令群を備えた、無線通信のためのコンピュータ読取可能記録媒体であって、
前記命令群は、
各々が複数のシンボルを備える複数の空間ストリームを生成し、
前記複数の空間ストリームのうちの第１の空間ストリームにおける第１のシンボルと、前記複数の空間ストリームのうちの第２の空間ストリームにおける第２のシンボルとにわたって、トレーニング・シーケンスの少なくとも一部分を分配するように実行可能であるコンピュータ読取可能記録媒体。
【請求項４１】
ピア・ノードのための、ネットワークへの逆送コネクションを支援するように構成された無線ネットワーク・アダプタと、
複数の空間ストリームを生成するように構成された処理システムとを備え、
前記複数の空間ストリームの各々は、複数のシンボルを備え、前記処理システムは更に、前記複数の空間ストリームのうちの第１の空間ストリームにおける第１のシンボルと、前記複数の空間ストリームのうちの第２の空間ストリームにおける第２のシンボルとにわたって、トレーニング・シーケンスの少なくとも一部分を分配するように構成されたアクセス・ポイント。
【請求項４２】
複数の空間ストリームを受信するように構成された処理システムと、
前記処理システムによってサポートされたユーザ・インタフェースとを備え、
前記複数の空間ストリームの各々は、複数のシンボルを備え、複数の空間ストリームのうちの第１の空間ストリームにおける第１のシンボルと、複数の空間ストリームのうちの第２の空間ストリームにおける第２のシンボルとにわたって、トレーニング・シーケンスの少なくとも一部分が分配されるアクセス端末。